(57)【特許請求の範囲】
【請求項１】
筐体内部に、少なくとも２つの第１可動接点及び第２可動接点をローターの回動動作で摺動させてオン／オフする機構を装着してなるスイッチ機構部と、
手の操作で直進方向への引き込み動作をするトリガーと、
を備え、
前記トリガーの引き込み動作に伴って、前記ローターを回動させるためのスイッチ係合部に、連結カムを取り付け、該取り付けた連結カムに介在させた連結棒を前記トリガーの引き込み動作に同伴させるようにしたことを特徴とするトリガースイッチ。
【請求項２】
筐体内部に、少なくとも２つの第１可動接点及び第２可動接点をローターの回動動作で摺動させてオン／オフする機構を装着してなるスイッチ機構部と、
手の操作で直進方向への引き込み動作をするトリガーと、
を備え、
前記トリガーの引き込み動作に伴って、前記ローターを回動させるためのスイッチ係合部に、歯車を備えたラック部材を係合させ、該係合させたラック部材の歯車に前記トリガーに連結されているピニオン部材を係合させて前記トリガーの引き込み動作に同伴させるようにしたことを特徴とするトリガースイッチ。
【請求項３】
筐体内部に、少なくとも２つの第１可動接点及び第２可動接点をローターの回動動作で摺動させてオン／オフする機構を装着してなるスイッチ機構部と、
手の操作で直進方向への引き込み動作をするトリガーと、
を備え、
前記トリガーの引き込み動作に伴って、前記ローターを回動させるためのスイッチ係合部に、ガイド凸部を備えた連結カムを取り付け、該取り付けた連結カムのガイド凸部に係合させるための開放穴を備えた連結片を、前記トリガーの引き込み動作に同伴させるようにしたことを特徴とするトリガースイッチ。
【請求項４】
前記スイッチ機構部は、
円盤状に形成した本体の中央位置から延出させたスイッチ係合部と、円盤状に形成した本体の周端縁に設けた摺動接片と、円盤状に形成した本体の周端であって対向する位置のそれぞれに設けたガイドカムとを備えたローターと、
第１可動接点を有する第１可動接片を装着すると共に前記ローターの一方のガイドカムに係合して直進方向にガイドするカムガイドを設けた第１可動接片ガイド部と、
第２可動接点を有する第２可動接片を装着すると共に前記ローターの他方のガイドカムに係合して前記第１可動接片ガイド部が直進する方向と反体方向にガイドするカムガイドを設けた第２可動接片ガイド部と、
をスイッチケース内部に収容してスイッチカバーを被せて密封させたことを特徴とする請求項１乃至３に記載のトリガースイッチ。
【請求項５】
前記スイッチ機構部の構造であるところの、
前記ローターと前記第１可動接片ガイド部と前記第２可動接片ガイド部とを前記スイッチケース内部に収容してスイッチカバーを被せて密封させた内部に、空気をなくすように液体ないしゲル状の絶縁性部材を充填させたことを特徴とする請求項４に記載のトリガースイッチ。
【請求項６】
前記液体ないしゲル状の絶縁性部材はグリースまたはオイルであることを特徴とする請求項５に記載のトリガースイッチ。
【発明の詳細な説明】
【技術分野】
【０００１】
本発明はトリガースイッチに関し、詳しくは防塵、防水といった耐環境性が要求される電動工具に使用されるトリガースイッチに関する。
【背景技術】
【０００２】
従来技術におけるトリガースイッチは、図１３乃至図１５に示すように、縦長の箱形状に形成された内部にスイッチ機構を組込み、外部のトリガー１１２からの操作動作を伝達する摺動操作子を上部位置に備え、且つ側面を開口にしたケース１１３と、ケース１１３の側面の開口面を塞ぐと共に、外側に制御素子（ＦＥＴ）を露出するように開けた開放部を備えたカバー１１４と、手の指で操作できるトリガー１１２と、ケース１１３の頂面に位置しモータの回転切替をする切替操作部１１５と、ケース１１３にカバー１１４を装着し、その外周位置に配置した放熱板１１６とを備えた構成になっている。
【０００３】
ケース１１３は、一面を開口にしたスイッチ機構を組み込むスイッチ室１２０と、制御素子１１９を載置する制御素子載置部１１７とを備え、制御素子載置部１１７とスイッチ室１２０との境界線上には線状の突起で形成した２つの第１及び第２防塵壁１１８Ａ、１１８Ｂを設けた構造となっている。
また、このスイッチ室１２０に連通した側面には摺動操作子１２１の摺動軸１２２を係合する半円筒形状の同軸係合穴を設けた構造となっている。
そして、このスイッチ室１２０の上部から摺動回路基板を載置し、制御素子載置部１１７に制御素子（ＦＥＴ）１１９を載せることで組み立てる。
【０００４】
摺動操作子１２１は、棒状に形成した自由端部にトリガー１１２を取り付けることができる摺動軸１２２と、摺動軸１２２の基部側であって頂面に並行に２つの摺動子を配置してモータの回転速度を制御する速度制御部１２３を設け、この速度制御部１２３に対して側壁面に制御素子を短絡する可動接片上を摺動する摺動ノブを備えた制御素子短絡部１２４、制御素子短絡部１２４に並んだ位置にモータを制御するＦＥＴに電源を供給する可動接片上を摺動する摺動ノブを備えた電源供給制御部１２５、この電源供給制御部１２５の反体側方向で摺動軸の基部側にモータを短絡状態にしてブレーキをかけるためのモータ短絡部（図示せず）を設けた構造となっている。
【０００５】
このような構造のスイッチにおいて、図１４に示すように、トリガーの引き込み操作により摺動操作子１２１に連結されている速度制御部１２３がスイッチ室１２０内で動くことにより、摺動軸１２２がスイッチ室１２０内に入り込み、その分スイッチ室１２０内の室内面積が縮小することで、その縮小した空気が外部に流出する。
【０００６】
また、図１５に示すように、トリガー１１２を元に戻すと摺動操作子１２１に連結されている摺動軸１２２が外方向に引き出されるためにスイッチ室１２０内の空間が拡大することにより外から空気がスイッチ室１２０内に流入する。
【先行技術文献】
【特許文献】
【０００７】
【特許文献１】特開２００９−０５４５４０
【発明の概要】
【発明が解決しようとする課題】
【０００８】
しかしながら、従来技術で説明したトリガースイッチにおいては、トリガー１１２を操作することにより、トリガー１１２に連動して動く摺動操作子１２１がスイッチ本体内のスイッチ室１２０に引き込まれると、スイッチ室１２０内の空間容積が減少することで、スイッチ室１２０の空気が外部に流出する（図１４参照）。その後、トリガー１１２を操作して摺動操作子１２１を元に戻すときには、逆にスイッチ室１２０に入り込んでいたスイッチ機構が外方向に移動するためにスイッチ室１２０内の空気容積が増加することで、スイッチ室１２０に空気が流入する（図１５参照）。
【０００９】
この空気が流入するときが問題で、一般に新鮮な空気が流入するのであれば問題がないが、概ね電動工具を利用している環境においては粉塵等の空気に混合した埃、塵等が存在している。そのため、これら空気に混合している埃、塵等も一緒にスイッチ室に流入してしまい、スイッチ室内での潤滑油を注いだ部分や接点部分等に容易に付着してしまう。この埃、塵が混合した空気が継続してスイッチ室内に流入すると、スイッチ自体の機能不全に陥る等の弊害を及ぼすという問題がある。
【００１０】
また、外部からの空気が流入しないように、完全密封することも考えられるが、トリガーを直接手で操作するために、連動して動く摺動操作子を完全に密封することは不可能であり、また完全に密封状態にするとなるとトリガーも含めて密封することになり、機能的に不完全なものになってしまうという問題もある。
【００１１】
従って、従来技術で説明したスイッチ室にスイッチ機構を直線的に出し入れする従来の機構を根本的に見直し、少なくともスイッチ室内での空気の出入れがなくなるか、又は、現状の空気の出入れよりも少なくなれば、空気と混合している埃、塵といった不純物の侵入を防ぐことができる構造のスイッチ機構に解決しなければならない課題を有する。
【課題を解決するための手段】
【００１２】
上記課題を解決するために、本願発明のトリガースイッチは、次に示す構成にすることである。
【００１３】
（１）トリガースイッチは、筐体内部に、少なくとも２つの第１可動接点及び第２可動接点をローターの回動動作で摺動させてオン／オフする機構を装着してなるスイッチ機構部と、手の操作で直進方向への引き込み動作をするトリガーと、を備え、前記トリガーの引き込み動作に伴って、前記ローターを回動させるためのスイッチ係合部に、連結カムを取り付け、該取り付けた連結カムに介在させた連結棒を前記トリガーの引き込み動作に同伴させるようにしたことである。
（２）トリガースイッチは、筐体内部に、少なくとも２つの第１可動接点及び第２可動接点をローターの回動動作で摺動させてオン／オフする機構を装着してなるスイッチ機構部と、手の操作で直進方向への引き込み動作をするトリガーと、を備え、前記トリガーの引き込み動作に伴って、前記ローターを回動させるためのスイッチ係合部に、歯車を備えたラック部材を係合させ、該係合させたラック部材の歯車に前記トリガーに連結されているピニオン部材を係合させて前記トリガーの引き込み動作に同伴させるようにしたことである。
（３）トリガースイッチは、筐体内部に、少なくとも２つの第１可動接点及び第２可動接点をローターの回動動作で摺動させてオン／オフする機構を装着してなるスイッチ機構部と、手の操作で直進方向への引き込み動作をするトリガーと、を備え、前記トリガーの引き込み動作に伴って、前記ローターを回動させるためのスイッチ係合部に、ガイド凸部を備えた連結カムを取り付け、該取り付けた連結カムのガイド凸部に係合させるための開放穴を備えた連結片を、前記トリガーの引き込み動作に同伴させるようにしたことである。
（４）前記スイッチ機構部は、円盤状に形成した本体の中央位置から延出させたスイッチ係合部と、円盤状に形成した本体の周端縁に設けた摺動接片と、円盤状に形成した本体の周端であって対向する位置のそれぞれに設けたガイドカムとを備えたローターと、第１可動接点を有する第１可動接片を装着すると共に前記ローターの一方のガイドカムに係合して直進方向にガイドするカムガイドを設けた第１可動接片ガイド部と、第２可動接点を有する第２可動接片を装着すると共に前記ローターの他方のガイドカムに係合して前記第１可動接片ガイド部が直進する方向と反体方向にガイドするカムガイドを設けた第２可動接片ガイド部と、をスイッチケース内部に収容してスイッチカバーを被せて密封させたことを特徴とする（１）乃至（３）に記載のトリガースイッチ。
（５）前記スイッチ機構部の構造であるところの、前記ローターと前記第１可動接片ガイド部と前記第２可動接片ガイド部とを前記スイッチケース内部に収容してスイッチカバーを被せて密封させた内部に、空気をなくすように液体ないしゲル状の絶縁性部材を充填させたことを特徴とする（４）に記載のトリガースイッチ。
（６）前記液体ないしゲル状の絶縁性部材はグリースまたはオイルであることを特徴とする（５）に記載のトリガースイッチ。
【発明の効果】
【００１５】
本発明に係るトリガースイッチは、スイッチ室に備えたスイッチ機構を直線運動ではなく回転運動するようにしたことにより、空気の流入が極めて少なくすることができ、そのため、外部からの空気の流入を極力抑えることができる。従って、空気に混合している埃、塵といった粉塵がスイッチ室内に入り込むことを阻止することが可能で、使用により発生するスイッチの機能不全を解消することが可能になる。
【００１６】
更に、ローターと第１可動接片ガイド部と第２可動接片ガイド部とをスイッチケース内部に収容してスイッチカバーを被せて密封させた内部に、空気をなくすように液体ないしゲル状の絶縁性部材、好ましくはグリースを充填させたことにより、可動接点が固定接点に接触するときに充填されているグリースをかき分けて接触する。そのため、絶えず接点位置はグリースで充填されているために、接点の接触又は離反したときに発生するスパーク等がグリースでもみ消され、周囲への影響を無くすことができる。
さらに、グリースで充填することで、内部で動く接点及びローターに対しても空気の流れが全くないため、空気に混入されている埃、塵といった異物の混入も全くなくなる。
【図面の簡単な説明】
【００１７】
【図１】本発明に係るトリガースイッチの概観を示した斜視図である。
【図２】同、内部を分解して示した斜視図である。
【図３】同、内部を分解して示した斜視図である。
【図４】同、スイッチ機構部を分解して示した分解斜視図である。
【図５】同、ローターの回動動作に基づいて動く可動接片の様子を示した説明図である。
【図６】同、ローターの回動動作に基づいて動く摺動抵抗の様子を示した説明図である。
【図７】同、ローターの回動動作に基づいて動く摺動抵抗及び切換スイッチの様子を示した説明図である。
【図８】本願発明のピニオンとラックによる回動動作を発生させるトリガースイッチの概観を示した斜視図である。
【図９】同、ピニオンとラックの関係でピニオンに設けた溝に塵埃が排出され且つラック側の溝から塵埃が排出される様子を示した説明図である。
【図１０】同、ピニオンとラックの関係でピニオンとラックに設けた溝の様子を示した説明図である。
【図１１】同、ピニオンとラックの関係で、溝を設けないピニオン及びラックの関係を示した説明図である。
【図１２】本願発明のトリガーと一体に設けた開放穴を用いて回動動作を発生させるトリガースイッチの概観を示した斜視図である。
【図１３】従来技術におけるトリガースイッチの外観を示した平面図である。
【図１４】同、トリガーを引き込んだときの空気の流れを示す一部分解して示した平面図である。
【図１５】同、トリガーを元に戻したときの空気の流れを示す一部分解して示した平面図である。
【発明を実施するための最良の形態】
【００１８】
本願発明に係るトリガースイッチの実施形態について、図面を参照して説明する。
【００１９】
本願発明に係るトリガースイッチは、トリガー（操作部）の操作により、スイッチ本体内のスイッチ室に収納されるスイッチ機構をロータリー式で動作できるようにしたことで、従来のようにスイッチ室にピストンの如く出し入れするスイッチ機構と異なり、スイッチ室にスイッチ機構が回転式に収納されているために、スイッチ室からの空気の出し入れを無くすか極めて少ない空気の出し入れに留めることが可能なスイッチ機構を提供する。
【００２０】
上記ロータリー式構造のトリガースイッチは、図１及び図２に示すように、直方体形状に形成したケース１１と、ケース１１の側面の開口面を塞ぐように取り付けたカバー１２とで構成された筐体内部に、少なくとも２つの第１可動接点及び第２可動接点（図４に示すスイッチ機構部４１に設置されている第１可動接点９３、第２可動接点９７が相当する）を設けたローター５６（図４参照）の回動動作で摺動させてオン／オフする機構を装着してなるスイッチ機構部４１と、手の操作で直進方向への引き込み動作をするトリガー１５と、を備え、トリガー１５の引き込み動作に伴って、ローター５６を回動させるためのスイッチ係合部４２に、トリガー１５に連結させた連結部材を取り付けてスイッチ係合部４２を回動させるようにしたことである。
連結部材は、ケースの外に突出したスイッチ係合部４２に連結カム１３を取り付け、この取り付けた連結カム１３に介在させた連結棒１４をトリガー１５の引き込み動作に同伴させるようにしたことである。
【００２１】
この連結部材においては、接点をオン／オフさせるスイッチ機構部４１からのスイッチ係合部４２を外部において回動させる構造となっているため、トリガー１５の直進方向への引き込み動作に対しても同じ直進方向に動くことがないため、塵埃といった異物が留まる領域を無くすことができる。
【００２２】
このような連結部材を備えたトリガースイッチは、直方体形状に形成したケース１１と、ケース１１の側面の開口面を塞ぐように取り付けたカバー１２と、ケース１１の外側に設けられており、ケース１１内部のスイッチ室に収納されているスイッチ機構部のスイッチ係合部に係合して回動駆動させる連結カム１３と、連結カム１３に結合されトリガーの引き込み動作に伴って直線摺動する連結棒１４と、手で操作できるトリガー１５とを備えた構成になっている。
【００２３】
ケース１１は、図２及び図３に示すように、一側面を開口にした略直方体形状に形成し、外側にトリガー１５の連結棒ガイド片をガイドしてトリガー１５自体を引き込む方向にガイドするために突出して形成した連結棒ガイド部１６を備え、開口にした面からスイッチ機構部４１を収容するスペースからなるロータリースイッチ室１７を備え、連結棒ガイド部１６を備えた側面に連続した片方の側面に電源端子を挿入する挿入口（第１電源端子挿入口１８、第２電源端子挿入口１９）及び可動接片の端子を挿入する挿入口（第１可動接片端子挿入口２１、第２可動接片端子挿入口２２）を備えた構成になっている。
【００２４】
カバー１２は、図２及び図３に示すように、ケース１１のロータリースイッチ室１７の上部から被せて塞ぐと共に、一方端部にトリガー１５のトリガーガイド片３２をガイドするための突出して形成したトリガーガイド部３５を備え、内壁には所定の距離をおいて、導電性の金属性部材で形成された第１信号接続片２６及び第２信号接続片２７を装着固定する第１信号接続片配置部３６及び第２信号接続片配置部３７を設けた構造となっている。
【００２５】
スイッチ機構部４１は、本願発明の主要となるところであり、所謂、外部からのロータリー動作に基づいて可動接片を直線的に動かしてオン／オフさせ且つ内部にグリースを充填させて密封状態にしたもので、直方体形状に形成した頂面に、可動接片を回転駆動に基づき直線駆動させるためのスイッチ係合部４２を臨ませて形成し、側面には第１可動接片９１を摺動させる接点載置部７５に連設して接続されている第１固定接点部４３及び第２固定接点５９に連設して接続されている第２固定接点部４４を突出させて形成し、短手側側面に制御基板４５、制御素子４６、放熱板４７をそれぞれ取付けた構成となっている。
【００２６】
このスイッチ機構部の内部構造について、図４を参照して説明する。
スイッチ機構部４１は、上述した導電性の金属性部材で形成された第１固定接点部４３及び第２固定接点部４４、第１固定接点５８と第２接点載置部７６を連結し且つ外部において電源片と接続する接続片７８を備えた接続バー６０をインサート成形してなるスイッチケース５１と、可動接片９１、９５を備え、スイッチケース５１に載置され且つローター５６の可動接片ガイドカム６６、６７により互い違い方向に直線的に動く第１可動接片ガイド部５４及び第２可動接片ガイド部５５と、円盤形状に形成された上部中央位置から上部に突出して形成されたスイッチ係合部４２、表面の対向する位置に導電性の金属性部材で形成された第１摺動接片６２及び第２摺動接片６３を装着する第１摺動接片装着部６４及び第２摺動接片装着部６５、底面に第１及び第２可動接片ガイド部５４、５５を互い違いの直進方向にガイドする可動接片ガイドカム６６、６７を備えたローター５６と、第１及び第２摺動接片６２、６３に摺動する摺動制御基板６８と、摺動制御基板６８に接触バネ６９ａ、６９ｂ、６９ｃ、６９ｄを介在させ、インサート成形した第１〜第４摺動接点部７１、７２、７３、７４を備えたスイッチカバー５７とから大略構成されている。
【００２７】
スイッチケース５１は、記述したように導電性の金属性部材で形成された第１固定接点部４３及び第２固定接点部４４、第１固定接点５８と第２接点載置部７６を連結し且つ外部で電源片と接続する接続片７８からなる接続バー６０をインサート成形にて装着し、第１固定接点部４３がインサート成形された位置に第１可動接片ガイド部５４を載置するために窪み状に形成した第１接点載置部７５を有し、第２固定接点部４４がインサート成形された位置に第２可動接片ガイド部５５を載置するために窪み状に形成した第２接点載置部７６を有する。
【００２８】
第１可動接片ガイド部５４は、スイッチケース５１の第１固定接点部４３が設置されている位置の第１接点載置部７５に直線状に動けるように載置されるもので、略Ｈ型形状の直方体に形成し、Ｈ型の一方端部に壁状のガイド片８１を設け、ガイド片８１の内側にローター５６に設けてある可動接片ガイドカム６６により直線方向に動くようにガイドされるカムガイド８２を設け、Ｈ状の窪んで形成された位置にコ字状に形成された第１可動接片９１を取付ける第１可動接片装着部８３を設けた構造となっている。
【００２９】
第１可動接片９１は、導電性の金属性部材で形成され、略コ字型形状に形成され、一方の端部は係合穴９２を有する端子であり、他方の端部には第１可動接点９３を備えた端子である。
この第１可動接片９１は、第１可動接片ガイド部５４の第１可動接片装着部８３に一方の端子の係合穴９２を凸部８３ａに係合させ、接片支持バネ９４ａを第１可動接片９１の中間位置に咬ませるようにし、接点保持バネ９４ｂを第１可動接点９３の裏側に当接するように咬ませて装着する。
【００３０】
第２可動接片ガイド部５５は、上述した第１可動接片ガイド部５４と同じ構造をしており、配置の仕方が互いに逆方向に動くようになっている。スイッチケース５１の第２固定接点部４４が設置されている位置であって第２接点載置部７６に直線状に動けるように載置されるもので、略Ｈ型形状の直方体に形成し、Ｈ型の一方端部に壁状のガイド片８４を設け、このガイド片８４の内側にローター５６に設けてある可動接片ガイドカム６７により直線方向に動くようにガイドされるカムガイド８５を設け、Ｈ状の窪んで形成された位置にコ字状に形成された第２可動接片９５を取付ける第２可動接片装着部８６を設けた構造となっている。
【００３１】
第２可動接片９５は、第１可動接片９１と略同じ構造であり、向きが逆方向になっているものであり、導電性の金属性部材で形成され、略コ字型形状に形成され、一方の端部は係合穴９６を有する端子であり、他方の端部には第２可動接点９７を備えた端子である。
この第２可動接点９７は、第２可動接片ガイド部５５の第２可動接片装着部８６に一方の端子の係合穴９６を凸部８６ａ（図示せず）に係合させ、接片支持バネ９４ａを第２可動接片９５の中間位置に咬ませるようにし、接点保持バネ９４ｂを第２可動接点９７の裏側に当接するように咬ませて装着する。
【００３２】
ローター５６は、円盤形状に形成された本体に対して、その本体の中心位置から上部に円筒形状に形成され、自由端部側の円形状を一部切欠いて形成したスイッチ係合部４２を備え、円盤形状の本体の上部表面であって、対向するそれぞれの位置に第１摺動接片６２を装着する第１摺動接片装着部６４、第２摺動接片６３を装着する第２摺動接片装着部６５を備え、円盤形状に形成した本体の底面には、円形状に形成した周縁を4分の１程度切欠いた第２可動接片ガイドカム６７を備え、第２可動切片ガイドカム６７と対向する位置関係で周縁を8分の１程度切欠いた第１可動接片ガイドカム６６を備えた構成となっている。
【００３３】
スイッチカバー５７は、スイッチケース５１にカバーするように一面を開口にした直方体形状に形成され、上述したように導電性の金属性部材で形成された第１〜第４摺動接点部７１、７２、７３、７４を開口に対して反対面にインサート成形して形成され、その中央部にローター５６のスイッチ係合部４２を嵌合させて外部に突出させる係合孔７７を備えている。
【００３４】
そして、開口された内部には接触バネ６９ａ、６９ｂ、６９ｃ、６９ｄを介在させて摺動制御基板６８を取付け、摺動制御基板６８の中央位置の開孔６８ａ部位にはローター５６のスイッチ係合部４２を貫通させるためのＯリング７０を備えた構成になっている。
【００３５】
摺動制御基板６８は、トリガーの引き込み具合に基づいて速度制御及びフルストロークの制御をするもので、ローター５６に設けてあるブラシである第１摺動接片６２及び第２摺動接片６３と摺動する摺動パターンを備えている。
【００３６】
このような構造からなるスイッチ機構部４１においては、先ず、スイッチカバー５７内部に接触バネ６９ａ、６９ｂ、６９ｃ、６９ｄ、Ｏリング７０を介在させて摺動制御基板６８を装着し、その上から第１摺動接片６２を第１摺動接片装着部６４に、第２摺動接片６３を第２摺動接片装着部６５に装着したローター５６のスイッチ係合部４２を摺動制御基板６８の開孔６８ａ及びＯリング７０に貫通させて係合孔７７から外部に突出させるようにしてローター５６を装着する。そして、装着されたローター５６の背面側の第１可動接片ガイドカム６６にカムガイド８２を係合させて第１可動接片９１を備えた第１可動接片ガイド部５４、同じく第２可動接片ガイドカム６７にカムガイド８５を係合させて第２可動接片９５を備えた第２可動接片ガイド部５５を、復帰スプリング７９と共に装着する。
装着された第１可動接片ガイド部５４及び第２可動接片ガイド部５５を覆うようにスイッチケース５１を被せる。そして、スイッチカバー５７とスイッチケース５１の接合面を超音波溶着等により溶着して内部を密封状態にする。
【００３７】
さて、このようにして、スイッチケース５１にスイッチカバー５７を被せることで内部を密封状態にすることができるのであるが、この密封された内部、特に接点（第１固定接点５８と第１可動接点９３、第２固定接点５９と第２可動接点９７）が対峙して格納されている空間に絶縁性のグリースを充填させて密封状態にする構造となっている。
特に接点周囲にグリースを充填させた構造にすると、接点が接触したときに発生するアーク等を抑制することができるばかりではなく、グリースで充填すると空気の入り込む余地がなくなるため、空気に混入している塵、埃といった異物の混入も阻止することができる。
【００３８】
このような構成からなるスイッチ機構部４１は、他の部材と共にケース内部に収容される。図２及び図３は、スイッチ機構部４１とそれに関連する部材を示したもので、先ず、スイッチ機構部４１の側面壁に制御基板４５を取り付け、この制御基板４５に制御素子４６を取り付け、その制御素子４６に制御素子４６の放熱も兼ねた放熱板４７を取付ける。
ケース１１の内側空間である可動接片を挿入するための第１及び第２可動接片端子挿入口２１、２２の内側に板バネ４８を差し込む。
【００３９】
ケース１１のスイッチ貫通孔２３にスイッチ機構部４１のスイッチ係合部４２を挿通させ、板バネ４８に第１固定接点部４３及び第２固定接点部４４を電気的に接触させるようにしてスイッチ機構部４１をロータリースイッチ室１７に収容取付ける。
次に、ケース１１の第１電源端子挿入口１８に連結している内側箇所に第１電源導通接片２４を取付ける。
【００４０】
更に、ケース１１の第２電源端子挿入口１９に連結している内側箇所に第２電源導通接片２５を取付ける。
【００４１】
そして、第1信号接続片２６及び第２信号接続片２７をカバー１２の第１信号接続片配置部３６及び第２信号接続片配置部３７に配置し、スイッチ機構部４１の第１固定接点部４３及び第２固定接点部４４に電気的に接触した状態にして取り付けて、カバー１２を被せる。
【００４２】
次に、トリガー１５を取り付けるために、復帰バネ２８を介在させ、カバー１２のトリガーガイド部３５にトリガーガイド片３２を装着させ、ケース１１の連結棒ガイド部１６に連結棒ガイド片３１を装着させる。
そして、ケース１１のスイッチ貫通孔２３から突出しているスイッチ係合部４２に連結カム１３を係合させ、トリガー１５の連結棒ガイド片３１に連結棒１４の片方の凸部を嵌合させ、他方の凸部を連結カム１３の係合孔に嵌合させる。
以上のようにして、トリガースイッチの組み立ては完了する。
【００４３】
以上のように組み立てられたスイッチにおける可動接片のオン／オフについて、図５を参照して以下説明する。
【００４４】
先ず、図５（Ａ）に示す初期状態、即ち、トリガーが引き込まれていない状態のときには、スイッチ係合部４２に係合されているローター５６の第１可動接片ガイドカム６６に第１可動切片ガイド部５４の第１カムガイド８２が当接した状態で維持されている。この状態であるときには、第１可動接片ガイド部５４に搭載されている第１可動接片９１の第１可動接点９３が第１固定接点５８と離れた状態を維持している。
【００４５】
次に、図５（Ｂ）に示す、ローター５６が約３０°回転した状態を示したもので、第１可動接片ガイドカム６６が第１カムガイド８２に当接した状態で回動することで、第１カムガイド８２を押し込むことで直線的に動くことにより、第１可動切片ガイド部５４に搭載されている第１可動接片９１が直線方向に動き、第１可動接点９３が第１固定接点５８に接触する。
【００４６】
更に、図５（Ｃ）に示す、ローター５６が約６３°回転した状態を示したもので、第1可動接片ガイドカム６６から第１カムガイド８２が外れると同時にローター５６の外周端に第１カムガイド８２の傾斜面が当接した状態となり、現状の位置を維持する。同時に、反体側の第２可動接片ガイドカム６７が第２可動接片ガイド部５５の第２カムガイド８５に当接した状態となる。
【００４７】
そして、図５（Ｄ）に示す、ローター５６が約８０°回転した状態を示したもので、第２可動接片ガイドカム６７が第２カムガイド８５に当接した状態で回動することで、第２カムガイド８５を押し込むことで直線的に動くことにより、第２可動接片ガイド部５５に搭載されている第２可動接片９５が直線方向に動き、第２可動接点９７が第２固定接点５９に接触する。この時も、第１カムガイド８２の傾斜面がローター５６の外周端に当接した状態を維持して回動するため、第１可動接点９３と第１固定接点５８の接触状態は良好に維持されている。
【００４８】
最後に、図５（Ｅ）に示す、ローター５６が約１２０°回転した、所謂、フルストロークの状態である。第１カムガイド８２の傾斜面がローター５６の外周端に当接した状態を維持して回動するため、第１可動接点９３と第１固定接点５８の接触状態は良好に維持され、同様に、第２カムガイド８５の傾斜面がローター５６の外周端に当接した状態を維持して回動するため、第２可動接点９７と第２固定接点５９の接触状態は良好に維持されている。
【００４９】
次に、上記図５を参照して説明した可動接片のオン／オフに付随して、ローターの回動動作に伴って速度制御部において可変抵抗値を変化させることでモータの回転の制御をする手法について、図６を参照して説明する。
【００５０】
図６は、交流電源用（ＡＣ）スピードコントローラ付スイッチの制御を示したものであり、可変抵抗体のみを備えた摺動接片に基づいて回転制御する可変抵抗値が変化する様子を示したものであり、図５で示した可動接片のオン／オフに同期して可変抵抗値を変化させる。
【００５１】
先ず、図６（Ａ）に示す初期状態、即ち、図５（Ａ）に示す位置であり、トリガーが引き込まれていない状態のときには、スイッチ係合部４２に係合されているローター５６の第１摺動接片６２は摺動制御基板上の摺動接触子と可変抵抗体とを電気的に接続するように抵抗が略ゼロとなる位置に維持する。
【００５２】
次に、図５（Ｂ）に示す位置で、図６（Ｂ）に示す、ローター５６が約３０°回転したときには、ローター５６の回動に伴って第１摺動接片６２が摺動制御基板６８の摺動接触子９８と可変抵抗体９９とを跨いだ状態で回動摺動する。このときの第１摺動接片６２の位置は、摺動制御基板６８の摺動接触子９８上で可変抵抗体９９の始端の部位に接触している。
【００５３】
更に、図５（Ｄ）に示す位置で、図６（Ｃ）に示す、ローター５６が約８０°回転したときには、ショートＯＮの位置であり、このときの第１摺動接片６２の位置は、摺動制御基板６８の摺動接触子９８上で可変抵抗体９９の後端の部位に接触している。
【００５４】
最後に、図５（Ｅ）に示す位置で、図６（Ｄ）  に示す、ローター５６が約１２０°回転した、所謂、フルストロークのときには、このときの第１摺動接片６２の位置は、摺動制御基板６８の摺動接触子９８上で可変抵抗体９９と同一抵抗値の位置に接触している。
【００５５】
次に、上記図５を参照して説明した可動接片のオン／オフに付随して、ローターの回動動作に伴って速度制御部において可変抵抗値を変化させることでモータの回転の制御をする手法について図６を参照して説明したことに加えて、第２摺動接片を利用してスイッチを切り替える手法について図７を参照して説明する。
【００５６】
図７は、直流電源用（ＤＣ）スピードコントローラ付スイッチを制御する場合にオン／オフ用可動接片の消耗防止回路を付設したスイッチの制御を示したものであり、可変抵抗体及び切換スイッチを備えた摺動接片に基づいて回転制御する可変抵抗値が変化する様子及びスイッチが切り替わる様子を示したものであり、図５で示した可動接片のオン／オフに同期して可変抵抗値を変化させ、及び切換スイッチを切り替える。
【００５７】
先ず、図６（Ａ）に示す初期状態、即ち、図７（Ａ）に示す位置であり、トリガーが引き込まれていない状態のときには、スイッチ係合部４２に係合されているローター５６の第１摺動接片６２は摺動制御基板上の摺動接触子と可変抵抗体とを電気的に接続するように抵抗が略ゼロとなる位置に維持する。このとき、第２摺動接片６３は摺動接触子８８と第１摺動接触子８９ａとを跨いだ状態で接続することで、第１のスイッチをオンにする。
【００５８】
次に、図６（Ｂ）に示す位置で、図７（Ｂ）に示す、ローター５６が約３０°回転したときには、ローター５６の回動に伴って第１摺動接片６２が摺動制御基板６８の摺動接触子９８と可変抵抗体９９とを跨いだ状態で回動摺動する。このときの第１摺動接片６２の位置は、摺動制御基板６８の摺動接触子９８上で可変抵抗体９９の始端の部位に接触している。このとき、第２摺動接片６３は摺動接触子８８と第２摺動接触子８９ｂとを跨いだ状態で接続することで、第２のスイッチをオンにする。
【００５９】
更に、図６（Ｃ）に示す位置で、図７（Ｃ）に示す、ローター５６が約８０°回転したときには、ショートＯＮの位置であり、このときの第１摺動接片６２の位置は、摺動制御基板６８の摺動接触子９８上で可変抵抗体９９の後端の部位に接触している。このとき、第２摺動接片６３は摺動接触子８８と第３摺動接触子８９ｃとを跨いだ状態で接続することで、第３のスイッチをオンにする。
【００６０】
最後に、図６（Ｄ）に示す位置で、図７（Ｄ）に示す、ローター５６が約１２０°回転した、所謂、フルストロークのときには、このときの第１摺動接片６２の位置は、摺動制御基板６８の摺動接触子９８上で可変抵抗体９９と同一抵抗値の位置に接触している。このとき、第２摺動接片６３は摺動接触子８８と第３摺動接触子８９ｃとを跨いだ状態で接続することを維持して、第３のスイッチをオンに維持する。
【００６１】
次に、連結部材の変形例について、図８乃至図１１を参照して説明する。
ここで、本願発明のトリガースイッチは、上述したように、筐体内部に、少なくとも２つの第１可動接点及び第２可動接点（図４に示すスイッチ機構部４１に設置されている第１可動接点９３、第２可動接点９７が相当する）をローター５６（図４参照）の回動動作で摺動させてオン／オフする機構を装着してなるスイッチ機構部４１と、手の操作で直進方向への引き込み動作をするトリガー１５と、を備え、トリガー１５の引き込み動作に伴って、ローター５６を回動させるためのスイッチ係合部４２に、トリガー１５に連結させた連結部材を取り付けてスイッチ係合部４２を回動させるようにしたことである。
連結部材は、図８に示すように、スイッチ係合部４２に歯車５ａを備えたラック部材５を係合させ、この係合させたラック部材５の歯車５ａにトリガー１５に連結されているピニオン部材６を係合させてトリガー１５の引き込み動作に同伴させるようにしたことである。
そして、ピニオン部材６は、一列に並んだギヤ６ａで形成され、このギヤ６ａとギヤ６ａとの間に溝６ｂを設けた構造とし、更に、ラック部材５を形成する歯車５ａの間にも溝５ｂを形成する構造とする。
【００６２】
もしピニオン部材６を形成するギヤ６ａとの間に溝６ｂを設けない構造、及びラック部材５を形成する歯車５ａの間に溝５ｂを設けない構造にすると、図１１に示すように、ギヤ６ａとギヤ６ａとの間に積もった塵埃が排出されず、その上からラック部材５の歯車５ａが乗り越えることで、積もった塵埃がそのまま押し固められてしまう。そのため、塵埃が排出されずに押し固められると、ピニオン部材６のギヤ６ａに係合するラック部材５の歯車５ａとギヤ６ａとの螺合が不自然になり、ピニオン部材６の直進方向への動きができなくなるか不自然な動きになり、最悪動作不全となる。
【００６３】
このような不都合を回避するために、ギヤ６ａとギヤ６ａとの間に溝６ｂを設け且つ歯車５ａと歯車５ａとの間に溝５ｂを設ける構造にすることで、図９及び図１０に示すように、ギヤ６ａの間に積もった塵埃は溝６ｂを通って排出され、且つ歯車５ａの間に付着した塵埃も歯車５ａ側に設けた溝５ｂを伝って排出される。そのため、ギヤ６ａの間に付着した塵埃は付着した場所に押し固められることなく排出されるため、ピニオン部材６のギヤ６ａに係合するラック部材５の歯車５ａがギヤ６ａと常に良好な状態で螺合でき、動作不全といった動きに変動をきたすことは回避できる。
【００６４】
更に、連結部材の変形例について、図１２を参照して説明する。
ここで、本願発明のトリガースイッチは、上述したように、筐体内部に、少なくとも２つの第１可動接点及び第２可動接点（図４に示すスイッチ機構部４１に設置されている第１可動接点９３、第２可動接点９７が相当する）をローター５６（図４参照）の回動動作で摺動させてオン／オフする機構を装着してなるスイッチ機構部４１と、手の操作で直進方向への引き込み動作をするトリガー１５と、を備え、トリガー１５の引き込み動作に伴って、ローター５６（図４参照）を回動させるためのスイッチ係合部４２に、トリガー１５に連結させた連結部材を取り付けてスイッチ係合部４２を回動させるようにしたことである。
連結部材は、スイッチ係合部４２に、ガイド凸部７ａを備えた連結カム７を取り付け、この取り付けた連結カム７のガイド凸部７ａに係合させるための開放穴８を備えた連結片８を、トリガー１５の引き込み動作に同伴させるようにしたことである。
連結片８はトリガー１５と一体に形成され、連結片８に設けた開放穴８ａはトリガー１５の引き込み方向に対して垂直方向にあけた長い穴である。このような開放穴８ａに連結カム７のガイド凸部７ａを係合させる。
このような構成の連結部材においては、トリガー１５を引き込むと連結片８の開放穴８ａに係合されているガイド凸部７ａが開放穴８ａの内側端部に当接した状態で、図において下方向に移動することで連結カム７に係合されているスイッチ係合部４２が時計回り方向に回動する。トリガー１５を戻せば、ガイド凸部７ａが開放穴８ａに沿って図において上方向にガイドされ、スイッチ係合部４２が反時計回り方向に回動する。
【産業上の利用可能性】
【００６５】
スイッチ室に備えたスイッチ機構を直線運動ではなく回動運動によりオン／オフする接片を設けた構造にすることで、スイッチ内部に流出入する空気の量を極めて少なくしたトリガースイッチを提供する。
【符号の説明】
【００６６】
５        ラック部材
５ａ      歯車
５ｂ      溝
６        ピニオン部材
６ａ      ギヤ
６ｂ      溝
７        連結カム
８        連結片
８ａ      開放穴
１１      ケース
１２      カバー
１３      連結カム
１４      連結棒
１５      トリガー
１６      連結棒ガイド部
１７      ロータリースイッチ室
１８      第１電源端子挿入口
１９      第２電源端子挿入口
２１      第１可動接片端子挿入口
２２      第２可動接片端子挿入口
２３      スイッチ貫通孔
２４      第１電源導通接片
２５      第２電源導通接片
２６      第１信号接続片
２７      第２信号接続片
２８      復帰バネ
３１      連結棒ガイド片
３２      トリガーガイド片
３５      トリガーガイド部
３６      第１信号接続片配置部
３７      第２信号接続片配置部
４１      スイッチ機構部
４２      スイッチ係合部
４３      第１固定接点部
４４      第２固定接点部
４５      制御基板
４６      制御素子
４７      放熱板
４８      板バネ
５１      スイッチケース
５４      第１可動接片ガイド部
５５      第２可動接片ガイド部
５６      ローター
５７      スイッチカバー
５８      第１固定接点
５９      第２固定接点
６０      接続バー
６２      第１摺動接片
６３      第２摺動接片
６４      第１摺動接片装着部
６５      第２摺動接片装着部
６６      第１可動接片ガイドカム
６７      第２可動接片ガイドカム
６８      摺動制御基板
６８ａ    開孔
６９ａ    接触バネ
６９ｂ    接触バネ
６９ｃ    接触バネ
６９ｄ    接触バネ
７０      Ｏリング
７１      第１摺動接点部
７２      第２摺動接点部
７３      第３摺動接点部
７４      第４摺動接点部
７５      第１接点載置部
７６      第２接点載置部
７７      係合孔
７８      接続片
７９      復帰スプリング
８１      ガイド片
８２      第１カムガイド
８３      第１可動接片装着部
８３ａ    凸部
８４      ガイド片
８５      第２カムガイド
８６      第２可動接片装着部
８６ａ    凸部
８８      摺動接触子
８９ａ    第１摺動接触子
８９ｂ    第２摺動接触子
８９ｃ    第３摺動接触子
９１      第１可動接片
９２      係合穴
９３      第１可動接点
９４ａ    接片支持バネ
９４ｂ    接点保持バネ
９５      第２可動接片
９６      係合穴
９７      第２可動接点
９８      摺動接触子
９９      可変抵抗体
【図１】
0005409227.tif 000002
【図２】
0005409227.tif 000003
【図３】
0005409227.tif 000004
【図４】
0005409227.tif 000005
【図５】
0005409227.tif 000006
【図６】
0005409227.tif 000007
【図７】
0005409227.tif 000008
【図８】
0005409227.tif 000009
【図９】
0005409227.tif 000010
【図１０】
0005409227.tif 000011
【図１１】
0005409227.tif 000012
【図１２】
0005409227.tif 000013
【図１３】
0005409227.tif 000014
【図１４】
0005409227.tif 000015
【図１５】
0005409227.tif 000016